(57)【要約】      （修正有）【課題】より施工性に優れた、空調機、配管支持金具の基礎として用いられるコンクリート基礎を提供する。【解決手段】ブロック本体とボルト・ナットが摺動可能に係合されるレールから構成され、ブロック本体の両側面には持ち手掛かり用の凹部が設けられており、レールは、上面にスリット状の開口部が設けられ、断面形状が、上段の溝部と上段の溝部よりも幅が狭い下段の溝が設けられた下向きの凸形状を成しており、上段の溝部はボルト・ナットのナットおよびボルトのヘッド部が摺動可能で、下段の溝部はボルト・ナットのボルトの軸が摺動可能な幅に形成され、開口部の幅は、ボルト・ナットのナットの直径よりも小さく、ボルトの軸の直径よりも大きく形成され、レールの両端部がボルト・ナットを両端部から挿入可能なように開放されている。【選択図】図１
0003134945.tif 000002
【実用新案登録請求の範囲】
【請求項１】
被支持物を支持固定するコンクリート基礎であって、ブロック本体と、上記ブロック本体の上面に埋め込まれた、ボルト・ナットが摺動可能に係合されるレールから構成され、上記ブロック本体の両側面には持ち手掛かり用の凹部が設けられており、
上記レールは、上面にスリット状の開口部が設けられ、断面形状が、上段の溝部と上段の溝部よりも幅が狭い下段の溝が設けられた下向きの凸形状を成しており、上記上段の溝部は上記ボルト・ナットのナットおよびボルトのヘッド部が摺動可能で、かつ回転不可能な幅に、上記下段の溝部は上記ボルト・ナットのボルトの軸が摺動可能な幅に形成され、上記開口部の幅は、上記ボルト・ナットのナットの直径よりも小さく、上記ボルトの軸の直径よりも大きく形成され、上記レールの両端部が上記ボルト・ナットを両端部から挿入可能なように開放されていることを特徴とするコンクリート基礎。
【考案の詳細な説明】
【技術分野】
【０００１】
本考案は、空調機、配管支持金具の基礎として用いられるコンクリート基礎に関する。
【背景技術】
【０００２】
空調機および空調機の配管支持金具を屋外に設置する際には、空調機等の転倒防止のために、基礎が必要であり、地面等にコンクリートブロックを並べて基礎とし、アンカーボルト等を用いて空調機等を固定していた。
【０００３】
アンカーボルトでの固定は施工性の点で問題があり、コンクリートブロックにレールを埋め込んで、ボルト・ナットを用いて固定するものも用いられている。
【考案の開示】
【考案が解決しようとする課題】
【０００４】
しかし、このようなコンクリートブロックに埋め込まれたレールは、ボルトの向きが固定されており、ブロックに載せる空調機等の種類や、施工する場所に応じてボルトの向きを選択するとこができないという問題があった。
【０００５】
本考案では、従来の基礎コンクリートで問題となっているボルトの向きが適宜選択可能なコンクリート基礎を提供することを目的としている。
【課題を解決するための手段】
【０００６】
本考案のコンクリート基礎は、被支持物を支持固定するコンクリート基礎であって、ブロック本体と、上記ブロック本体の上面に埋め込まれた、ボルト・ナットが摺動可能に係合されるレールから構成され、上記ブロック本体の両側面には持ち手掛かり用の凹部が設けられており、
上記レールは、上面にスリット状の開口部が設けられ、断面形状が、上段の溝部と上段の溝部よりも幅が狭い下段の溝が設けられた下向きの凸形状を成しており、上記上段の溝部は上記ボルト・ナットのナットおよびボルトのヘッド部が摺動可能で、かつ回転不可能な幅に、上記下段の溝部は上記ボルト・ナットのボルトの軸が摺動可能な幅に形成され、上記開口部の幅は、上記ボルト・ナットのナットの直径よりも小さく、上記ボルトの軸の直径よりも大きく形成され、上記レールの両端部が上記ボルト・ナットを両端部から挿入可能なように開放されていることを特徴とする。
【考案の効果】
【０００７】
本考案のコンクリート基礎は、被支持物を支持固定するコンクリート基礎であって、ブロック本体と、上記ブロック本体の上面に埋め込まれた、ボルト・ナットが摺動可能に係合されるレールから構成され、上記ブロック本体の両側面には持ち手掛かり用の凹部が設けられており、
上記レールは、上面にスリット状の開口部が設けられ、断面形状が、上段の溝部と上段の溝部よりも幅が狭い下段の溝が設けられた下向きの凸形状を成しており、上記上段の溝部は上記ボルト・ナットのナットおよびボルトのヘッド部が摺動可能で、かつ回転不可能な幅に、上記下段の溝部は上記ボルト・ナットのボルトの軸が摺動可能な幅に形成され、上記開口部の幅は、上記ボルト・ナットのナットの直径よりも小さく、上記ボルトの軸の直径よりも大きく形成され、上記レールの両端部が上記ボルト・ナットを両端部から挿入可能なように開放されていることにより、ボルト・ナットは上向きおよび下向きの両方の状態でレール内を摺動可能となり、被支持物に応じてボルト・ナットの向きを選択して固定することが可能となる。
【考案を実施するための最良の形態】
【０００８】
以下に、図を用いて本考案コンクリート基礎１について詳しく説明する。
【０００９】
図１に示すのが、本考案のコンクリート基礎１の斜視図である。
【００１０】
図１に示すように、本考案のコンクリート基礎１は、ブロック本体２と上記ブロック本体２の上面に埋め込まれたレール３から構成される。上記ブロック本体２の両側面には、持ち手掛かり用の凹部５が設けられている。上記凹部５により、本考案のコンクリート基礎１は、持ち運びが容易となっている。
【００１１】
上記ブロック本体２の上面に埋め込まれたレール３は、ボルト・ナット４が摺動可能なレールであり、図２の側面図に示すように、上面にスリット状の開口部６が設けられ、断面形状が、上段の溝部７と上段の溝部７よりも幅が狭い下段の溝８が設けられた下向きの凸形状を成している。
【００１２】
上記上段の溝部７は上記ボルト・ナット４のナット１０およびボルト９のヘッド部が摺動可能でかつ回転不可能な幅に、上記下段の溝部８は上記ボルト・ナット４のボルトの軸１１が摺動可能な幅に形成されている。また、上記開口部６の幅は、上記ボルト・ナット４のナット１０の直径よりも小さく、ボルト９の軸よりも大きく形成されている。そのために、上記レール３の両端部が上記ボルト・ナット４を端部から挿入可能なように開放されている。
【００１３】
本考案のコンクリート基礎１は上述のような構成となっており、どのようにして被支持物を上記コンクリート基礎１に固定するかを説明する。
【００１４】
被支持物は、ボルト・ナット４を用いて上記コンクリート基礎１に固定する。被支持物の脚等を上記ボルト・ナット４を用いて上記コンクリート基礎１に固定するが、その時に、ボルト・ナット４の向きが選択可能となっている。
【００１５】
まず初めに、ボルト・ナット４を下向きに用いる場合について図３を用いて説明する。
【００１６】
まずは、ナット１０をレール３の開放された端部から、上記レール３の上段の溝７に挿入し所定の位置にセットする。次に、被支持物の脚１２をコンクリート基礎１の上面に載せて所定の位置にセットする。この時に、上記脚１２に設けられた孔と上記ナット１０の孔の位置を合わせる。
【００１７】
そして、ボルト９を上から上記脚１２の孔を通してナット１０と締め込み、上記被支持物をコンクリート基礎１に固定する。上記上段の溝７が、ボルト・ナット４のナット１０が摺動可能でかつ回転不可能な幅を有していることにより、上記ナット１０が空回りすることなく容易に締め込むことが可能となっている。この時にワッシャを用いてもよい。
【００１８】
このようにして、被支持物のコンクリート基礎１への固定が完了する。このようにボルト・ナット４を下向きに用いた場合は、図３に示すように、上記ボルト９の軸が、上記レール３の下段の溝部８に納まり、上記ナット１０が上段の溝７に納まるようになる。
【００１９】
次に、ボルト・ナット４を下向きに用いる場合について図４を用いて説明する。
【００２０】
まずは、ボルト９のヘッド部分をレール３の開放された端部から、上記レール３の上段の溝７に挿入し所定の位置にセットする。次に、被支持物の脚１２をコンクリート基礎１の上面に載せて所定の位置にセットする。この時に、上記ボルト９のヘッド部は上段の溝部７にあるので、コンクリート基礎１の上面より、上記ボルト９の軸１１が突出しており、上記脚１２に設けられた孔をと上記ボルト９の軸に合わせる。
【００２１】
そして、ナット１０を、上記脚１２の孔から突出している上記ボルト９の軸１１に締め込み、上記被支持物をコンクリート基礎１に固定する。上記上段の溝７が、ボルト・ナット４のボルト９のヘッド部が摺動可能でかつ回転不可能な幅を有していることにより、上記ボルト９が空回りすることなく容易に締め込むことが可能となっている。この時にワッシャを用いてもよい。
【００２２】
このようにして、被支持物のコンクリート基礎１への固定が完了する。このようにボルト・ナット４を上向きに用いた場合は、図４に示すように、上記ボルト９のヘッド部が、上記レール３の上段の溝７に納まるようになる。
【００２３】
このように、本考案のコンクリート基礎１は、ボルト・ナット４の向きが被支持物等に応じて適宜選択可能であり、従来よりも施工性が大幅に向上させることが可能となった。
【図面の簡単な説明】
【００２４】
【図１】本考案のコンクリート基礎の斜視図である。
【図２】本考案のコンクリート基礎の側面図である。
【図３】ボルト・ナットを下向きに用いた場合の本考案のコンクリート基礎の側面図である。
【図４】ボルト・ナットを上向きに用いた場合の本考案のコンクリート基礎の側面図である。
【符号の説明】
【００２５】
１    コンクリート基礎
２    ブロック本体
３    レール
４    ボルト・ナット
５    凹部
６    開口部
７    上段の溝
８    下段の溝
９    ボルト
１０  ナット
１１  軸
【図１】
0003134945.tif 000003
【図２】
0003134945.tif 000004
【図３】
0003134945.tif 000005
【図４】
0003134945.tif 000006